(57)【要約】【課題】上傾斜部に降って流下した雨水が下縦部に流下して流下痕が残って見苦しくなるのを防止することができる軒樋を提供する。【解決手段】外側の側片１の上部の外面が上方へ行く程内側に位置する上傾斜部１１となるとともに、該側片１の前記上傾斜部１１の下部の外面が垂直又は下方へ行く程内側に位置する下縦部１２となる軒樋である。上傾斜部１１と下縦部１２との境界に上傾斜部１１を流下した水が下縦部１２に伝わらないように水切りするための水切り部４を設けた。【選択図】        図１
2004211465.tif 000002
【特許請求の範囲】
【請求項１】
外側の側片の上部の外面が上方へ行く程内側に位置する上傾斜部となるとともに、該側片の前記上傾斜部の下部の外面が垂直又は下方へ行く程内側に位置する下縦部となる軒樋において、上傾斜部と下縦部との境界に上傾斜部を流下した水が下縦部に伝わらないように水切りするための水切り部を設けて成ることを特徴とする軒樋。
【請求項２】
水切り部を下方に突出する突起として形成して成ることを特徴とする請求項１記載の軒樋。
【請求項３】
水切り部を水が溜まって自重で落下させるための窪み部として形成して成ることを特徴とする請求項１又は請求項２記載の軒樋。
【発明の詳細な説明】
【０００１】
【発明の属する技術分野】
本発明は、軒先に取付られる軒樋に関するものである。
【０００２】
【従来の技術】
従来より、建物の軒先部には、上方に開口する開口溝を有する軒樋を配設するものである。これは、図２に示すように、軒樋を建物５の屋根５２の外下端部の下方に配設し、屋根５から流下した水を受けるものである。
【０００３】
軒樋は、外側の側片１、底片２、内側の側片３とで上方に開口する略コ字状に主体が構成されるものである（例えば特許文献１参照）。
【０００４】
外側の側片１は、上傾斜部１１と下縦部１２とからなる。下縦部１２は、底片２の外側の端部から上方に連設される板状をしたもので、上方へ行く程外側に位置するように若干傾斜している。また、上傾斜部１１は、下縦部１２の上端部から連設されるもので、上方へ行く程内側に位置するように傾斜したものである。
【０００５】
このような軒樋にあっては、上傾斜部１１に降って流下した雨水Ｗが下縦部１２に流下して流下痕が残り、下縦部１２は下方から見上げた際に見えるため流下痕が見えて見苦しいものであった。
【０００６】
【特許文献１】
特開平１１−７１８６６号公報
【０００７】
【発明が解決しようとする課題】
本発明はこのような点に鑑みてなされたものであり、その目的とするところは、上傾斜部に降って流下した雨水が下縦部に流下して流下痕が残って見苦しくなるのを防止することができる軒樋を提供することを課題とするものである。
【０００８】
【課題を解決するための手段】
上記課題を解決するために本発明に係る軒樋は、外側の側片１の上部の外面が上方へ行く程内側に位置する上傾斜部１１となるとともに、該側片１の前記上傾斜部１１の下部の外面が垂直又は下方へ行く程内側に位置する下縦部１２となる軒樋において、上傾斜部１１と下縦部１２との境界に上傾斜部１１を流下した水が下縦部１２に伝わらないように水切りするための水切り部４を設けて成ることを特徴とするものである。このような構成とすることで、上傾斜部１１に降って流下した雨水Ｗが下縦部１２に流下して流下痕が残るのを防止し、見栄えを良くすることができる。
【０００９】
また、水切り部４を下方に突出する突起として形成することが好ましい。このような構成とすることで、簡単な構成で水切り部４を形成することができる。
【００１０】
また、水切り部４を水が溜まって自重で落下させるための窪み部４２として形成することが好ましい。このような構成とすることで、簡単な構成で水切り部４を形成することができる。
【００１１】
【発明の実施の形態】
以下、本発明を図に示す実施形態に基づいて説明する。軒樋は、図２に示すように建物５の外壁面５１に取り付けられて屋根５２の外下端部の下方に配設され、屋根５に降って流下してその外下端部から落下した雨水を受けるものである。
【００１２】
軒樋は、図１（ａ），図２に示すように、外側の側片１，底片２，内側の側片３とで主体が構成され、上方に開口する開口溝を有する大略コ字状に形成される。この軒樋は、開口溝が屋根５２の外下端部の下方に沿うように配設される。内側の側片３は垂直な板状をしたもので、上端部に内側に耳部３３が設けてある。外側の側片１は、上側の上傾斜部１１と下側の下縦部１２とからなる。
【００１３】
下縦部１２は、底片２の外側の端部から上方に連設される板状をしたもので、垂直となるか又は上方へ行く程外側に位置するように若干傾斜したものである。下縦部１２の上端部からは、上傾斜部１１が連設される。
【００１４】
上傾斜部１１は、上方へ行く程内側に位置するように傾斜している。この上傾斜部１１は、図示はしないがその傾斜角度（即ち勾配）を屋根勾配とほぼ同じにして下方より見上げた際に屋根５２と連なるようにしてもよく、このようにすることで見栄えが良くなる。
【００１５】
上傾斜部１１の上端部には内側に耳部１３が設けてあり、上述したように内側の側片３の上端部にも内側に耳部３３が設けてあり、これらの耳部１３、３１を建物５の外壁面５１に取り付けた支持金具（図示せず）に嵌め込んで屋根５２の外下端部の下側に配設するものである。
【００１６】
このような軒樋にあっては、上傾斜部１１と下縦部１２とが滑らかに接続されていると、上傾斜部１１に降って流下した雨水Ｗが下縦部１２にそのまま流下して流下痕が残り、下縦部１２は下方から見上げた際に見えるため流下痕が見えて見苦しいものであった。  そこで本願では、上傾斜部１１と下縦部１２との境界部に水切り部４を設けてある。
【００１７】
水切り部４は、上傾斜部１１と下縦部１２との境界部に設けてある。複数種の水切り部４の拡大図をそれぞれ図１（ｂ）乃至（ｆ）に示す。
【００１８】
図１（ｂ）に示すものは、上傾斜部１１の下端部に下方に突出する尖先部４１を有する突起として形成してある。このようにすることで、雨水Ｗが尖先部４１に到達するとそれ以上は背後に廻り込むことはなく下方に落下するのみであるため、雨水Ｗが下縦部１２に流下するのを防止することができる。
【００１９】
図１（ｃ）乃至（ｅ）に示すものは、上傾斜部１１の下端部に窪み部４２を形成して水切り部４としてある。このようにすることで、上傾斜部１１を流下した雨水Ｗは窪み部４２に少しずつ溜まり、一定以上水が溜まると大きな水滴となって落下するため、窪み部４２を越えて内側に流れ込むことがなく、雨水Ｗが下縦部１２に流下するのを防止することができる。
【００２０】
また、図１（ｆ）に示すものは、尖先部４１及び窪み部４２を設けてあり、上述した両方の効果が得られる。
【００２１】
【発明の効果】
上記のように本発明の請求項１記載の発明にあっては、外側の側片の上部の外面が上方へ行く程内側に位置する上傾斜部となるとともに、該側片の前記上傾斜部の下部の外面が垂直又は下方へ行く程内側に位置する下縦部となる軒樋において、上傾斜部と下縦部との境界に上傾斜部を流下した水が下縦部に伝わらないように水切りするための水切り部を設けたので、上傾斜部に降って流下した雨水が下縦部に流下して流下痕が残るのを防止し、見栄えを良くすることができる。
【００２２】
また請求項２記載の発明にあっては、請求項１記載の発明の効果に加えて、水切り部を下方に突出する突起として形成したので、簡単な構成で水切り部を形成することができる。
【００２３】
また請求項３記載の発明にあっては、請求項１又は２記載の発明の効果に加えて、水切り部を水が溜まって自重で落下させるための窪み部として形成したので、簡単な構成で水切り部を形成することができる。
【図面の簡単な説明】
【図１】本発明の一実施形態を示し、（ａ）は軒樋の全体の断面図であり、（ｂ）乃至（ｆ）は（ａ）のＡ部における拡大図である。
【図２】軒樋の建物への配設を説明する説明図である。
【符号の説明】
１  外側の側片
１１  上傾斜部
１２  下縦部
４  水切り部
【図１】
2004211465.tif 000003
【図２】
2004211465.tif 000004